(57)【要約】【課題】  余白補填データ転送による変倍画像データの転送時間の長期化、を抑制。【解決手段】  元画面Ｐｏｒの、主走査のライン単位で入力される画像データを変倍して指定サイズ画面Ｐｐｏの画像データを生成してライン単位で出力する変倍において、変倍後画面が指定サイズより小さくなって、元画像データのライン入力ピッチより変倍後画像データのライン出力ピッチが長くなり副走査方向の余白２を生ずる場合に、ライン入力ピッチと出力ピッチの間の期間に、余白２を補填するデータを出力する。かつ、指定サイズのライン長より変倍後画像データのライン長が短くなり主走査方向の余白１を生ずる場合に、変倍後画像のライン長と指定サイズライン長の間の領域に、主走査方向の余白１を補填するデータを出力する。【選択図】  図７
2008289021.tif 000002
【特許請求の範囲】
【請求項１】
元画面の、主走査のライン単位で入力される画像データを変倍して指定サイズ画面の画像データを生成してライン単位で出力する変倍方法において、
元画面の変倍後の画面が前記指定サイズより小さくなって、元画面の画像データのライン入力ピッチより変倍後の元画面の画像データのライン出力ピッチが長くなり指定サイズ画面に副走査方向の余白部分を生ずる場合に、前記ライン入力ピッチと前記ライン出力ピッチの間の期間に、前記余白部分を補填するデータを出力する、ことを特徴とする変倍方法。
【請求項２】
元画面の変倍後の画面が前記指定サイズより小さくなって、前記指定サイズのライン長より変倍後の元画面の画像データのライン長が短くなり指定サイズ画面に主走査方向の余白部分を生ずる場合に、元画面の変倍後画像のライン長と指定サイズ画面のライン長の間の領域に、主走査方向の余白部分を補填するデータを出力する、請求項１に記載の変倍方法。
【請求項３】
元画面は原稿面であり、入力される画像データは、原稿の画像を読み取り画像データを生成してライン単位で出力する原稿スキャナの出力画像データである、請求項１又は２に記載の変倍方法。
【請求項４】
指定サイズは、用紙に画像を形成するプリンタの用紙サイズである、請求項１乃至３のいずれか１つに記載の変倍方法。
【請求項５】
原稿の画像を読み取り画像データを生成してライン単位で出力する原稿スキャナ；および、
該原稿スキャナがライン単位で出力する画像データを変倍して指定サイズ画面の画像データを生成してライン単位で出力する変倍手段であって、前記原稿の変倍後の画像が前記指定サイズより小さくなって、前記原稿読み取りのラインピッチより変倍後の画像データ出力のラインピッチが長くなり指定サイズに副走査方向の余白部分を生ずる場合に、前記原稿読み取りのラインピッチと変倍後の画像データ出力のラインピッチの間の期間に、前記余白部分を補填する副走査補完データを出力する変倍手段；を備える画像処理装置。
【請求項６】
前記変倍手段は、原稿画像の変倍後の画像が前記指定サイズより小さくなって、前記指定サイズのライン長より変倍後の原稿画像のライン長が短くなり指定サイズ画面に主走査方向の余白部分を生ずる場合に、原稿画像の変倍後画像のライン長と指定サイズ画面のライン長の間の領域に、主走査方向の余白部分を補填する主走査補完データを出力する、請求項５に記載の画像処理装置。
【請求項７】
画像処理装置は更に、指定サイズの用紙上に作像用画像データが表す画像を形成するプリンタ；および、前記変倍手段が出力する画像データを前記プリンタの作像用画像データに補正する画像データ処理手段；を備える請求項５又は６に記載の画像処理装置。
【請求項８】
前記指定サイズ画面の画像データを記憶する指定サイズ領域の始端から、原稿画像の変倍後画像のライン長と前記主走査補完データとを前記指定サイズ画面のラインデータとして順次に格納し、前記指定サイズ領域の、副走査方向の空白領域の始端又は終端から、副走査補完データを格納する画像データ記憶手段；を更に備える、請求項６に記載の画像処理装置。
【請求項９】
前記画像データ記憶手段の前記指定サイズ領域の始端と終端の一方から昇順又は降順で順次に、原稿画像の変倍後画像のライン長と前記主走査補完データとを前記指定サイズ画面のラインデータとした画像データを格納する有効領域格納アドレスを生成し、他方から逆順で順次に、副走査補完データを格納する余白領域格納アドレスを生成する、アドレス生成手段；および、
前記画像データ記憶手段に、原稿画像の変倍後画像のライン長と前記主走査補完データとを前記指定サイズ画面のラインデータとして出力するときは前記有効領域格納アドレスを、前記副走査補完データを出力するときは前記余白領域格納アドレスを、与えるアドレス選択手段；を更に備える、請求項８に記載の画像処理装置。
【請求項１０】
前記画像データ記憶手段の前記指定サイズ領域の始端から昇順で順次に、原稿画像の変倍後画像のライン長と前記主走査補完データとを前記指定サイズ画面のラインデータとした画像データを格納する有効領域格納アドレスを生成し、原稿サイズ，変倍率および指定サイズで定まる前記有効領域格納アドレスの最後の次のアドレスを始端として昇順で順次に、副走査補完データを格納する余白領域格納アドレスを生成する、アドレス生成手段；および、
前記画像データ記憶手段に、原稿画像の変倍後画像のライン長と前記主走査補完データとを前記指定サイズ画面のラインデータとして出力するときは前記有効領域格納アドレスを、前記副走査補完データを出力するときは前記余白領域格納アドレスを、与えるアドレス選択手段；を更に備える、請求項８に記載の画像処理装置。
【請求項１１】
画像処理装置は更に、指定サイズの用紙上に作像用画像データが表す画像を形成するプリンタ；および、画像データ記憶手段の指定サイズ領域から読み出された画像データを前記プリンタの作像用画像データに補正する画像データ処理手段；を備える請求項８，９又は１０に記載の画像処理装置。
【発明の詳細な説明】
【技術分野】
【０００１】
本発明は、ライン単位で順次に入力される画像データを変倍して指定サイズ画面に配置する変倍および該変倍を行う画像処理装置に関し、特に、変倍後の有効画像サイズと指定サイズが異なり余白を生ずる場合のデータ転送に関する。本発明は例えば、原稿画像読み取り，画像転送，ファクシミリ送信，画像蓄積，画像印刷，複写等に用いることが出来る。
【背景技術】
【０００２】
【特許文献１】特開平１０−２７６３２０号公報
【特許文献２】特開２００３−８７５５７号公報。
【０００３】
特許文献１には、原稿を読み取った画像データをライン単位で順次記憶する、少なくとも２ライン分のメモリ手段に順次に格納し、ラインメモリから読み出すときには、画像範囲指定手段にて指定されたアドレスに従って画像データを読み出し、白付加指定手段によってライン上指定範囲に白データを付加する、画像処理装置が記載されている。拡大又は縮小が指定された場合には、前記メモリ手段から、画像範囲指定手段と白付加指定手段によって指定されたアドレス設定に従って画像を読み出しながら、順次拡大又は縮小を行う。特許文献２には、原稿サイズと用紙サイズにしたがって最適変倍率を算出し、変倍率が適正範囲を外れるときには余白が生じるので警告表示して、中断処理を可能にした画像形成装置が記載されている。
【０００４】
変倍によって余白を生じる場合、従来は、転写紙サイズの画像データを出力する時間が、等倍で原稿の画像データを出力する時間より長くなり、複数原稿の順次読み取りの作業時間が長くなる。たとえば図１１の（ａ）に示すように、Ａ３の原稿面Ｐｏｒを５０％縮小する場合など、原稿スキャナから１  lsync（主走査同期信号；ライン同期信号）につき１ラインづつ原稿データを取り込み、変倍部で２ラインを１ラインする処理を行う。変倍後の有効データが転写紙サイズＰｐｏより小さい時には、余白用の補填データ（余白データ）を転送するか、若しくは、予め転写紙サイズ領域Ｐｐｏを余白データで埋めることを行っている。１ラインごとに余白用の補填データ転送する場合には、図１１の（ｂ）に示すように、原稿Ｐｏｒの画像データ出力期間に、その縮小画像を、元の２ライン出力期間に１ライン分出力する。
【発明の開示】
【発明が解決しようとする課題】
【０００５】
したがって原稿Ｐｏｒの読み取りを終えたときには、転写紙サイズＰｐｏの前半分しか、画像データは転送されていない。そこで原稿Ｐｏｒの読み取りを終えても、転写紙サイズＰｐｏの後半分の余白領域（余白２）への補填データの転送が行われる。その分、変倍後画像データの出力時間が長くなる。複数の原稿を順次読み取る場合には、図１２に示すように、原稿間の読み取り休止時間が長くなるので、余白を生じる変倍読み取りの場合は、複数原稿の読み取り時間が、等倍の場合よりも長くなる。すなわち、余白データを転送する場合、原稿読み取りを行っている時間（原稿用fgate（フレームゲート信号）が有効期間）中では変倍後の有効データ分しか転送されていない。余白データを転送する時間が余計に必要となり、連続ページ読み取り時などには紙間の時間を多くとらなくてはいけない。
【０００６】
本発明は、余白補填データ転送による変倍画像データの転送時間の長期化、を抑制することを目的とする。
【課題を解決するための手段】
【０００７】
（１）元画面(Por)の、主走査のライン単位で入力される画像データを変倍して指定サイズ画面(Ppo)の画像データを生成してライン単位で出力する変倍方法において、
元画面の変倍後の画面が前記指定サイズより小さくなって、元画面の画像データのライン入力ピッチより変倍後の元画面の画像データのライン出力ピッチが長くなり指定サイズ画面に副走査方向の余白部分(余白２)を生ずる場合に、前記ライン入力ピッチと前記ライン出力ピッチの間の期間に、前記余白部分(余白２)を補填するデータを出力する、ことを特徴とする変倍方法。
【０００８】
なお、理解を容易にするために括弧内には、図面に示し後述する実施例の対応要素又は対応事項の符号を、例示として参考までに付記した。以下も同様である。
【発明の効果】
【０００９】
これによれば、元画面(Por)の変倍データを出力する期間に、変倍によって生ずる余白を補填するデータが出力されるので、元画面(Por)の変倍データ出力を終えてからの余白補填データの出力が無くなり、或いは少なくなり、余白補填データ転送による変倍画像データの転送時間が低減する。
【００１０】
（２）元画面(Por)の変倍後の画面が前記指定サイズ(Ppo)より小さくなって、前記指定サイズのライン長より変倍後の元画面の画像データのライン長が短くなり指定サイズ画面に主走査方向の余白部分(余白１)を生ずる場合に、元画面の変倍後画像のライン長と指定サイズ画面のライン長の間の領域に、主走査方向の余白部分(余白１)を補填するデータを出力する、上記（１）に記載の変倍方法。
【００１１】
（３）元画面は原稿面であり、入力される画像データは、原稿の画像を読み取り画像データを生成してライン単位で出力する原稿スキャナ(10)の出力画像データである、上記（１）又は（２）に記載の変倍方法。
【００１２】
（４）指定サイズは、用紙に画像を形成するプリンタの用紙サイズである、上記（１）乃至（３）のいずれか１つに記載の変倍方法。
【００１３】
（５）原稿の画像を読み取り画像データを生成してライン単位で出力する原稿スキャナ(10)；および、
該原稿スキャナがライン単位で出力する画像データを変倍して指定サイズ画面(Ppo)の画像データを生成してライン単位で出力する変倍手段であって、前記原稿の変倍後の画像が前記指定サイズより小さくなって、前記原稿読み取りのラインピッチより変倍後の画像データ出力のラインピッチが長くなり指定サイズに副走査方向の余白部分を生ずる場合に、前記原稿読み取りのラインピッチと変倍後の画像データ出力のラインピッチの間の期間に、前記余白部分を補填する副走査補完データを出力する変倍手段(26)；を備える画像処理装置。
【００１４】
（６）前記変倍手段(26)は、原稿画像の変倍後の画像が前記指定サイズ(Ppo)より小さくなって、前記指定サイズのライン長より変倍後の原稿画像のライン長が短くなり指定サイズ画面に主走査方向の余白部分を生ずる場合に、原稿画像の変倍後画像のライン長と指定サイズ画面のライン長の間の領域に、主走査方向の余白部分(余白１)を補填する主走査補完データを出力する、上記（５）に記載の画像処理装置。
【００１５】
（７）画像処理装置は更に、指定サイズの用紙上に作像用画像データが表す画像を形成するプリンタ(14)；および、前記変倍手段(26)が出力する画像データを前記プリンタの作像用画像データに補正する画像データ処理手段(264)；を備える上記（５）又は（６）に記載の画像処理装置。
【００１６】
（８）前記指定サイズ画面の画像データを記憶する指定サイズ領域の始端から、原稿画像の変倍後画像のライン長と前記主走査補完データとを前記指定サイズ画面のラインデータとして順次に格納し、前記指定サイズ領域の、副走査方向の空白領域の始端又は終端から、副走査補完データを格納する画像データ記憶手段(MEM-C/MEM-F)；を更に備える、上記（６）に記載の画像処理装置。
【００１７】
（９）前記画像データ記憶手段(MEM-C/MEM-F)の前記指定サイズ領域の始端と終端の一方から昇順又は降順で順次に、原稿画像の変倍後画像のライン長と前記主走査補完データとを前記指定サイズ画面のラインデータとした画像データを格納する有効領域格納アドレスを生成し、他方から逆順で順次に、副走査補完データを格納する余白領域格納アドレスを生成する（図９）、アドレス生成手段(28,29)；および、
前記画像データ記憶手段に、原稿画像の変倍後画像のライン長と前記主走査補完データ（余白１）とを前記指定サイズ画面のラインデータとして出力するときは前記有効領域格納アドレスを、前記副走査補完データ（余白２）を出力するときは前記余白領域格納アドレスを、与えるアドレス選択手段(30)；を更に備える、上記（８）に記載の画像処理装置。これによれば、余白領域格納アドレスの始端を簡単に設定できる。余白データ（余白２）を有効領域データとは逆方向から埋めるので、変倍誤差を解消することが出来る。
【００１８】
（１０）前記画像データ記憶手段の前記指定サイズ領域の始端から昇順で順次に、原稿画像の変倍後画像のライン長と前記主走査補完データ（余白１）とを前記指定サイズ画面のラインデータとした画像データを格納する有効領域格納アドレスを生成し、原稿サイズ，変倍率および指定サイズで定まる前記有効領域格納アドレスの最後の次のアドレスを始端として昇順で順次に、副走査補完データ（余白２）を格納する余白領域格納アドレスを生成する（図１０）、アドレス生成手段(28,29)；および、
前記画像データ記憶手段に、原稿画像の変倍後画像のライン長と前記主走査補完データとを前記指定サイズ画面のラインデータとして出力するときは前記有効領域格納アドレスを、前記副走査補完データを出力するときは前記余白領域格納アドレスを、与えるアドレス選択手段(30)；を更に備える、上記（８）に記載の画像処理装置。これによれば、アドレス生成手段(29)が余白領域格納アドレスの始端を算出して設定するので、画像処理コントローラ(261)のデータ転送制御を簡易にすることが出来る。
【００１９】
（１１）画像処理装置は更に、指定サイズの用紙上に作像用画像データが表す画像を形成するプリンタ(14)；および、画像データ記憶手段の指定サイズ領域から読み出された画像データを前記プリンタの作像用画像データに補正する画像データ処理手段(264)；を備える上記（８），（９）又は（１０）に記載の画像処理装置。
【発明を実施するための最良の形態】
【００２０】
本発明の他の目的および特徴は、図面を参照した以下の実施例の説明より明らかになろう。
【実施例１】
【００２１】
図１に、本発明の第１実施例の画像読み取り装置を装備した複合機能複写機ＭＦ１の外観を示す。このフルカラー複写機は、大略で、自動原稿送り装置（ＡＤＦ）１３と、操作ボード１１と、カラースキャナ１０と、カラープリンタ１４およびフィニッシャ１００の各ユニットで構成されている。なお、操作ボード１１，ＡＤＦ１３付きのカラースキャナ１０およびフィニッシャ１００は、プリンタ１４から分離可能なユニットである。
【００２２】
複合機能複写機ＭＦ１には、パソコンＰＣ１が接続したＬＡＮ(Local Area Network)が接続されており、また、電話回線ＰＮ（ファクシミリ通信回線）に接続された交換器ＰＢＸが接続されている。カラープリンタ１４のプリント済の用紙は、フィニッシャ１００に排出される。
【００２３】
図２に、スキャナ１０およびそれに装着されたＡＤＦ１３の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００２４】
このようにスキャナ１０は、コンタクトガラス２３１上の原稿をランプ２３２およびミラー２３３で走査して原稿画像をＣＣＤ２０７に投影するフラットベッド（原稿定置読み取り方式）の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)１３が装着されており、ＡＤＦ１３の搬送ドラム（プラテン）２４４がガラス２４０に対向している。
【００２５】
ＡＤＦ１３の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００２６】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。
【００２７】
シートスルー読み取りの場合には、原稿トレイ２４１から繰り出される原稿をペーパセンサ２２３が検出して、原稿がセンサ２２３を通過している間、紙ありを表すレベルの原稿通過検出信号を発生し、原稿スキャナ１０は、原稿がセンサ２２３の位置からガラス２４０の読み取り視野中心に達するまでの時間（ライン同期信号lsyncの発生数）の遅延を原稿通過検出信号を加えた信号を、後述のフレームゲート信号fgate（図７）としてスキャナ画像処理２６３（図４）に出力する。原稿定置読み取りの場合には、コンタクトガラス２３１の下方に配設された、図示を省略した原稿サイズセンサの検出信号に基づいてフレームゲート信号fgate（図７）が生成される。
【００２８】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００２９】
ＡＤＦ１３の基体２４８は、奥側（図２紙面の裏側）でスキャナ１０の基体にヒンジ結合（蝶番連結）しており、基体２４８の手前側（図２紙面の表側）の取っ手２５０ｍを持ってＡＤＦ１３の基体２４８引き上げることにより、ＡＤＦ１３を起こす（開く）ことができる。ＡＤＦ１３の基体２４８の奥側には、ＡＤＦ１３の開閉を検出するスイッチがある。ＡＤＦ１３の、コンタクトガラス２３１に対向する圧板２５０ｐがＡＤＦ１３の底面部に装着されており、ＡＤＦ１３が閉じると、圧板２５０ｐの下面が、図２に示すように、コンタクトガラス２３１の上面に密着する。
【００３０】
図３に、カラープリンタ１４の機構を示す。この実施例のカラープリンタ１４は、レーザプリンタである。１色のトナー像を形成する、感光体５６および現像器５５ならびに図示を省略したチャージャ，クリーニング装置および転写器の組体（作像ユニット）は、Ｍ（マゼンタ），Ｃ（シアン），Ｙ（イエロー）およびＢｋ（黒）のそれぞれの作像用に一組、合せて４組があり、この順に搬送ベルト５７に沿ってタンデムに配列されており、それらによって形成された各色トナー像が順次に一枚の転写紙上に重ねて転写される。
【００３１】
第１トレイ４８，第２トレイ４９および第３トレイ５０に積載された転写紙は、各々第１給紙装置５１，第２給紙装置５２および第３給紙装置５３によって給紙され、縦搬送ユニット５４によって感光体５６に当接する位置まで搬送される。
【００３２】
スキャナ１０にて読み込まれた画像データは、画像入出力処理２６２（図４）で補正され、一旦ローカルメモリ２７６（図４）に書き込まれてから、読み出され、読み出した画像データを用いる図３の書込ユニット１５からのレーザー露光によって、図示を省略したチャージャによって均一に荷電した感光体５６に書込まれ、これにより静電潜像を形成する。この静電潜像が現像ユニット５５を通過することによって感光体５６上にトナー像が現れる。転写紙が感光体５６の回転と等速で搬送ベルト５７によって搬送されながら、感光体５６上のトナー像が転写される。その後、定着ユニット５８にて画像を定着させ、排紙ユニット５９によって後処理装置のフィニシャ１００に排出される。ファクシミリ送信の場合には、スキャナ１０にて読み込まれた画像データは、ファクシミリコントロールユニット（ＦＣＵ）２８７のメモリ２９３に格納してから送信される。
【００３３】
図３に示す、後処理装置のフィニシャ１００は、本体の排紙ユニット５９によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００３４】
一方、通常の排紙トレイ１０４は前後（図３紙面と垂直な方向）に移動可能な排紙トレイである。前後に移動可能な排紙トレイ部１０４は、原稿毎、あるいは、画像メモリによってソーティングされたコピー部毎に、前後に移動し、排出されてくるコピー紙を簡易的に仕分けるものである。転写紙の両面に画像を作像する場合は、各給紙トレイ４８〜５０から給紙され作像された転写紙を排紙トレイ１０４側に導かないで、経路切り替えの為の分岐爪６０を下向きに廻す事で、一旦反転ユニット１１２に導き、そして両面給紙ユニット１１１にストックする。
【００３５】
その後、両面給紙ユニット１１１にストックされた転写紙は再び、感光体５６に作像されたトナー画像を転写するために、両面給紙ユニット１１１から再給紙され、経路切り替えの為の分岐爪６０を図示水平に戻し、排紙トレイ１０４に導く。この様に転写紙の両面に画像を作成する場合に、反転ユニット１１２および両面給紙ユニット１１１が使用される。
【００３６】
感光体５６，搬送ベルト５７，定着ユニット５８，排紙ユニット５９および現像ユニット５５は、図示を省略したメインモータによって駆動され、各給紙装置５１〜５３はメインモータの駆動を、やはり図示を省略した各給紙クラッチによって伝達することにより駆動される。縦搬送ユニット５４は、メインモータの駆動を、図示を省略した中間クラッチによって伝達することにより駆動される。
【００３７】
図４に、図１の複合機能複写機ＭＦ１の画像処理システムの構成を示す。複合機能複写機ＭＦ１は、原稿画像読取りおよびカラー印刷を行うエンジン２６０，コントローラボード２７０および操作ボード１１を含む。エンジン２６０は、画像読取りおよび印刷を制御するＣＰＵ２６１，上述のカラースキャナ１０，上述のプリンタ１４、および、ＡＳＩＣ(Application Specific IC)で構成した画像入出力処理２６２を備えている。
【００３８】
コントローラボード２７０は、ＣＰＵ２７２と、ＡＳＩＣで構成された書画蓄積制御２７３と、ハードディスク装置（以下ではＨＤＤと表記）２７１と、ローカルメモリ（ＭＥＭ−Ｃ）２７６と、システムメモリ（ＭＥＭ−Ｐ）２７９と、ノースブリッジ（以下、ＮＢと記す）２７８と、サウスブリッジ（以下、ＳＢと記す）２８５と、ＮＩＣ２８０(Network Interface Card)と、ＵＳＢデバイス２８１と、ＩＥＥＥ１３９４デバイス２８２と、セントロニクスデバイス２８３他を含む。操作ボード１１は、コントローラボード２７０の書画蓄積制御２７３に接続されている。
【００３９】
ＣＰＵ２７２は、ＮＩＣ２８０を介してＬＡＮに接続されたパソコンＰＣ１あるいはインターネットを介するパソコンＰＣと書画情報の送受信を行うことができる。また、ＵＳＢ２８１，ＩＥＥＥ１３９４  ２８２，セントロニクス２８３を用いてパソコン，プリンタ，デジタルカメラ等と通信することができる。
【００４０】
ＳＢ２８５と、ＮＩＣ２８０と、ＵＳＢデバイス２８１と、ＩＥＥＥ１３９４デバイス２８２と、セントロニクスデバイス２８３と、ＭＬＢ２８４は、ＮＢ２７８にＰＣＩバスで接続されている。このように、ＭＬＢ２８４は、エンジン２６０にＰＣＩバスを介して接続する基板である。そして、ＭＬＢ２８４は、外部から入力された書画データをイメージデータ（画像データ）に変換し、変換された画像データをエンジン２６０に出力する。
【００４１】
コントローラボード２７０の書画蓄積制御２７３にローカルメモリ２７６、ＨＤＤ２７１などが接続されると共に、ＣＰＵ２７２と書画蓄積制御２７３とがＣＰＵチップセットのＮＢ２７８を介して接続されている。書画蓄積制御２７３とＮＢ２７８とは、ＡＧＰ(Accelerated Graphics Port)を介して接続されている。
【００４２】
ＣＰＵ２７２は、複合機能複写機ＭＦ１の全体制御を行うものである。ＮＢ２７８は、ＣＰＵ２７２、システムメモリ２７９、ＳＢ２８５および書画蓄積制御２７３を接続するためのブリッジである。システムメモリ２７９は、複合機能複写機ＭＦ１の描画用メモリなどとして用いるメモリである。ＳＢ２８５は、ＮＢ２７８とＰＣＩバス、周辺デバイスとを接続するためのブリッジである。また、ローカルメモリ２７６はコピー用画像バッファ、符号バッファとして用いるメモリである。ＨＤＤ２７１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード１１は、ユーザからの入力操作を受け付けると共に、ユーザに向けた表示を行う操作部である。
【００４３】
図５に、スキャナ１０およびプリンタ１４と画像入出力装置２６２との間でやり取りする画像データの流れを示す。画像入出力処理２６２には、カラースキャナ１０が原稿画像を読み取って発生するＲ，Ｇ，Ｂ画像データのそれぞれに対してシェーディング補正，読取りγ補正，フィルタ処理（ＭＴＦ補正），地肌濃度調整，変倍等を行うスキャナ画像処理２６３があり、また、Ｒ，Ｇ，Ｂ画像データをプリンタ１４の、Ｃ，Ｍ，Ｙ，Ｋ各色書込みユニット２１０〜２１３の画像表現特性に合ったＣ，Ｍ，Ｙ，Ｋ印刷データに変換するプリンタ画像処理２６４があり、更に、書画蓄積制御２７３に原稿読取り画像データＲＧＢ又はＣＭＹＫを出力し、書画蓄積制御２７３が出力する画像データＲＧＢ又はＣＭＹＫをプリンタ画像処理２６４に与える画像処理Ｉ／Ｆ(Interface circuit)２６５がある。
【００４４】
原稿１枚につき１枚の印刷を行う一枚コピーのときには、スキャナ画像処理２６３からＣＭＹＫ記録色データが画像処理Ｉ／Ｆ２６５に出力され、画像処理Ｉ／Ｆ２６５がこれらの画像データをプリンタ画像処理２６４に出力し、プリンタ画像処理２６４が必要に応じて変倍，画像加工を、そしてプリンタγ変換および階調処理をして各書込みユニット（レーザ書込ユニット１５の各レーザ発光器）に出力する。
【００４５】
原稿１枚につき複数枚の印刷を行う連続コピーのときには、スキャナ画像処理２６３からＲＧＢ画像データが画像処理Ｉ／Ｆ２６５に出力され、画像処理Ｉ／Ｆ２６５によってこれらの画像データは書画蓄積制御２７３に出力されてローカルメモリ２７６又はＨＤＤ２７１に一時蓄積され、そして１枚のコピーの度に読み出されて書画蓄積制御２７３から画像処理Ｉ／Ｆ２６５を介してプリンタ画像処理２６４に与えられる。プリンタ画像処理２６４は、色補正によりＲＧＢ画像データをＣ，Ｍ，Ｙ，Ｋ印刷データに変換し、必要に応じて変倍，画像加工を、そしてプリンタγ変換および階調処理をして各書込みユニットに出力する。
【００４６】
スキャナ１０による原稿読取りおよび登録、又は、外部への送信のときには、スキャナ画像処理２６３が出力するＲＧＢ画像データが、画像処理Ｉ／Ｆ２６５および画像蓄積制御２７３を介して、ＨＤＤ２７１に登録される、又は、ローカルメモリ２７６又はＨＤＤ２７１に一時蓄積してから外部に送出される。
【００４７】
プリンタ１４による登録ＲＧＢ画像データ、又は、外部から受信したＲＧＢ画像データの印刷のときには、画像蓄積制御２７３および画像処理Ｉ／Ｆ２６５を介してＲＧＢ画像データがプリンタ画像処理２６４に与えられる。プリンタ画像処理２６４は、ＲＧＢ画像データをＣＭＹＫ記録色データに変換してから、必要に応じて変倍，画像加工を、そしてプリンタγ変換および階調処理をして、各書込みユニットに出力する。
【００４８】
図６に、画像入出力装置２６２の、本発明の実施にかかわる主要部を示す。スキャナ１０が各色別ライン単位で順次に出力するＲＧＢ画像データ（原稿データ）は、シェーディング補正２１，スキャナガンマ補正２２，フィルタ処理２３，解像度変換や画像サイズの変更を行う変倍２６で処理してから、画像処理Ｉ／Ｆ２６５を介して、また、書画蓄積制御２７３を介してメモリ２７６に格納される。或いはＦＣＵ２８７のメモリ２９３に格納される。なお、像域分離２４は画像データに基づいて画像各部の特徴を検出して文字領域，写真領域，地肌領域などの像域を判定する。フィルタ処理２３は像域対応のパラメータを用いてフィルタ処理する。すなわち、文字領域には鮮鋭化処理を加え、写真領域には中間調を円滑に表現する処理を加える。地肌濃度調整２５は地肌領域の画像濃度を、低く調整する。変倍２６は、解像度変換および画像サイズ変換を行う。画像処理Ｉ／Ｆ２６５は、本発明を実施するに用いる有効領域アドレス生成２８，余白領域アドレス生成２９およびアドレス選択３０の各機能が備わっている。
【００４９】
変倍２６は、原稿スキャナ１０がライン単位で出力し、シェーディング補正以下の補正処理をした画像データを変倍して、コピー，印刷，ページ設定などで指定された用紙サイズすなわち指定サイズ画面の画像データを生成して、ライン単位で画像処理２６５を介して出力するが、スキャナ１０が読み取る原稿の変倍後の画像が、前記用紙サイズより小さくなって、原稿読み取りのラインピッチより変倍後の画像データ出力のラインピッチが長くなり用紙サイズに、例えば図９に示すように、副走査方向の余白部分（余白２）を生ずる場合に、原稿読み取りのラインピッチと変倍後の画像データ出力のラインピッチの間の期間に、例えば図７に示すように、余白部分を補填する副走査補完データ（余白２の補填データ）を出力する。また、この場合、通常は主走査方向にも余白部分（余白１）を生ずるので、変倍２６は、用紙サイズに主走査方向の余白部分を生ずる場合には、原稿画像の変倍後画像のライン長と指定サイズ画面のライン長の間の領域に、主走査方向の余白部分を補填する主走査補完データ（余白１の補填データ）を出力する。余白領域を補填する余白データすなわち補填データは、余白データ保持２７に設定されており、余白データ保持２７が変倍２６に与える。
【００５０】
メモリ２７６又は２９３には、例えば図９の画面Ｐｐｏに示すように、用紙サイズ（指定サイズ画面）の画像データを記憶する用紙サイズ領域の始端から、原稿画像の変倍後画像のライン長と主走査補完データ（図７の余白１）とを用紙サイズのラインデータとして順次に格納し、用紙サイズ領域の、副走査方向の空白領域の終端から、副走査補完データ（図７の余白２）を格納する。
【００５１】
上記原稿画像の変倍後画像のライン長と主走査補完データ（図７の余白１）をメモリ２７６又は２９３に格納する有効領域アドレスを、画像処理Ｉ／Ｆ２６５の有効領域アドレス生成２８が生成し、上記副走査補完データ（図７の余白２）を格納する余白領域アドレスを余白領域アドレス生成２９が発生し、アドレス選択３０が、変倍率が５０％の場合では図７に示すように、原稿読み取りの２ラインの画像データ入力の間に、１ラインの縮小画像データ（変倍画像データ＋余白１の補填データ）と１ラインの副走査補完データ（余白２の補填データ）を交互にメモリ２７６又は２９３に書込むように、メモリに与えるアドレスを選択出力する。すなわち切り換える。
【００５２】
この場合は、有効領域アドレス生成２８が、メモリ２７６又は２９３の用紙サイズ領域の始端から昇順で順次に、原稿画像の変倍後画像のライン長と主走査補完データ（余白１の補填データ）とを用紙サイズのラインデータとした画像データを格納する有効領域格納アドレスを生成し、余白領域アドレス生成２９が、用紙サイズ領域の終端から逆順で順次に、副走査補完データ（余白２の補填データ）を格納する余白領域格納アドレスを生成する。
【００５３】
例えば、Ａ３版の原稿の画像を５０％縮小して、Ａ３用紙に印刷するコピーの場合は、図７に示すように、原稿用fgateが有効期間中に、シェーディング補正，フィルタ処理などを受けた原稿読み取りの画像データは、変倍２６で５０％縮小される。このとき５０％縮小であるため変倍後の有効データ（原稿の縮小画像データ）は２  lsyncに１ライン分出力される。ここで本件では、有効データが出力されない１ライン期間中に、余白用の補填データ（余白２）をメモリに転送する。変倍２６から有効領域期間中と余白領域期間中を区別するyohaku sel信号を画像処理Ｉ／Ｆ２６５に出力する。yohaku sel信号は、Ｈレベル：余白領域期間、Ｌレベル：有効領域期間である。
【００５４】
画像処理Ｉ／Ｆ２６５は、yohaku selを受けて画像転送先であるメモリ２７６又は２９３のアドレスを、有効領域用アドレス生成２８からのメモリアドレスと余白領域用アドレス生成２９からのメモリアドレスを切り替えて、有効画像データと余白データとをメモリに転送する。余白領域用アドレス生成２８でのアドレス順序は、図９に示すように、有効領域でのアドレス順序とは逆に進行する。余白開始アドレスは、指定された用紙サイズから算出された転写紙領域の最後のメモリアドレスを設定し、デクリメントしていくことになる。
【００５５】
このように変倍後の有効領域データ転送の空き時間中に余白データを転写紙領域の逆方向から埋めていくことで、図８に示す通り、原稿読み取り時間中で有効領域データ（原稿の変倍画像データ＋余白１の補填データ）と余白領域データ（余白２の補填データ）を転送できることになり、原稿読み取り時間を有効活用できる。また、余白領域データ（余白２の補填データ）を逆方向から埋めることで。変倍誤差を解消することが出来る。
【００５６】
余白領域用アドレス生成２９のアドレス順は、図１０に示すように、始端を有効領域データ（原稿の変倍画像データ＋余白１の補填データ）の次のアドレスに設定することにより、インクリメントすることになる。この場合には、余白領域アドレス生成２９が、原稿サイズ，変倍率および用紙サイズで定まる有効領域格納アドレスの最後の次のアドレスを始端として、昇順で順次に、余白領域データ（余白２の補填データ）を格納する余白領域格納アドレスを生成する。これにより、ソフトウェアで設定するレジスタを削減することが出来る。
【図面の簡単な説明】
【００５７】
【図１】本発明の１実施例を装備した複合機能複写機ＭＦ１の外観を示す正面図である。
【図２】図１に示すＡＤＦ１３装備のカラー原稿スキャナ１０の拡大縦断面図である。
【図３】図１に示すフルカラープリンタ１４の作像機構の概要を示す拡大縦断面図である。
【図４】図１に示す複合機能複写機ＭＦ１の画像処理野しステム構成を示すブロック図である。
【図５】図４に示すスキャナ１０およびプリンタ１４と画像入出力装置２６２との間の画像データの流れを示すブロック図である。
【図６】図５に示すスキャナ画像処理２６３と、画像処理Ｉ／Ｆ２６５の一部の構成を示すブロック図である。
【図７】Ａ３版原稿の画像を５０％縮小してＡ３版の用紙に出力する場合の、図６に示すスキャナ画像処理２６３の画像データ入出力のタイミングを示すタイムチャートであり、横軸が時間軸である。
【図８】複数の原稿読み取りを連続して行い、各読み取りで図７に示す画像データ入出力を行う場合の、原稿間の原稿読み取り休止時間（紙間）を示すタイムチャートである。
【図９】図７に示す画像データ入出力を行う場合の、縮小画像を出力する用紙サイズ（Ｐｐｏ）に定めるメモリ書込みのアドレス始端（開始アドレス）の一例を示す平面図である。
【図１０】図７に示す画像データ入出力を行う場合の、縮小画像を出力する用紙サイズ（Ｐｐｏ）に定めるメモリ書込みのアドレス始端（開始アドレス）のもう一つの例を示す平面図である。
【図１１】（ａ）は、従来の縮小処理における、元画像Ｐｏｒと縮小画像Ｐｐｏを示す平面図、（ｂ）は、Ａ３版原稿の画像を５０％縮小してＡ３版の用紙に出力する場合の、従来の変倍の入出力のタイミングを示すタイムチャートであり、横軸が時間軸である。
【図１２】複数の原稿読み取りを連続して行い、各読み取りで図１１の（ｂ）に示す画像データ入出力を行う場合の、原稿間の原稿読み取り休止時間（紙間）を示すタイムチャートである。
【符号の説明】
【００５８】
４８：第１トレイ
４９：第２トレイ    ５０：第３トレイ
５１：第１給紙装置  ５２：第２給紙装置
５３：第３給紙装置  ５４：縦搬送ユニット
５６：感光体        ５７：搬送ベルト
５８：定着ユニット  ５９：排紙ユニット
６０：分岐爪        ２６：搬送モータ
５５：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
１２２：ハードディスク装置（ＨＤＤ）
２７６：ローカルメモリ（ＭＥＭ−Ｃ）
２７９：システムメモリ（ＭＥＭ−Ｐ）
２８７：ファクシミリコントロールユニット（ＦＣＵ）
２９３：ローカルメモリ（ＭＥＭ−Ｆ）
【図１】
2008289021.tif 000003
【図２】
2008289021.tif 000004
【図３】
2008289021.tif 000005
【図４】
2008289021.tif 000006
【図５】
2008289021.tif 000007
【図６】
2008289021.tif 000008
【図７】
2008289021.tif 000009
【図８】
2008289021.tif 000010
【図９】
2008289021.tif 000011
【図１０】
2008289021.tif 000012
【図１１】
2008289021.tif 000013
【図１２】
2008289021.tif 000014